(57)【要約】【課題】照明を利用した撮影における露出制御を適正化する。【解決手段】撮影機能付きの電子機器（例えば、カメラ付き懐中電灯）において、撮影エリアＳＳの中央部分だけを照らすランプを備える。露出制御の際、撮影エリアＳＳに複数の評価エリアを設定して評価エリアごとに測光評価値を取得し、測光評価値の重み付け加算を介して露出制御値を求める。重み付け設定部は、ランプの照明の照射エリアＬＬ内に属する評価エリアを重点エリアに分類する一方、照射エリアＬＬ外に位置する評価エリアを非重点エリアに分類し、重点エリアに対する重みを非重点エリアに対する重みよりも大きくする。【選択図】図９
2014176061.tif 000002
【特許請求の範囲】
【請求項１】
撮影エリアを撮影する撮像部と、
前記撮影エリアを照らす照明装置と、
前記撮影エリア内の複数の評価エリアの夫々に対して明るさに応じた評価値を導出し、前記複数の評価エリアに対する複数の評価値に重みを付与して所定演算を行うことで露出制御値を導出する導出部と、
前記露出制御値に基づき前記撮影における露出制御を行う露出制御部と、
前記照明装置による照明の条件に応じて各評価値に対する重みを設定する重み付け設定部と、を備えた
ことを特徴とする電子機器。
【請求項２】
前記照明の条件は、前記照明の照射エリアの条件を含み、
前記重み付け設定部は、前記照射エリア内に属する評価エリアの評価値に付与する重みを、前記照射エリア内に属さない評価エリアの評価値に付与する重みよりも大きくする
ことを特徴とする請求項１に記載の電子機器。
【請求項３】
前記重み付け設定部は、前記撮像部における焦点距離に応じて、各評価値に対する重みを設定する
ことを特徴とする請求項２に記載の電子機器。
【請求項４】
前記重み付け設定部は、前記撮像部と前記撮影エリア内の被写体との間の距離に応じて、各評価値に対する重みを設定する
ことを特徴とする請求項２に記載の電子機器。
【請求項５】
前記照明装置において、前記照明の照射エリアは可変であり、
前記重み付け設定部は、前記照明の照射エリアの変化に応答して、各評価値に対する重みを変更する
ことを特徴とする請求項２に記載の電子機器。
【請求項６】
前記照明装置において、前記照明の強度は可変であり、
前記重み付け設定部は、前記照明の強度の変化に応答して、各評価値に対する重みを変更する
ことを特徴とする請求項１乃至５の何れかに記載の電子機器。
【請求項７】
前記重み付け設定部は、当該電子機器の周辺照度に応じて各評価値に対する重みを設定する
ことを特徴とする請求項１乃至６の何れかに記載の電子機器。
【請求項８】
撮影エリアを撮影する撮像部と、
前記撮影エリアを照らす第１照明装置と、
前記第１照明装置とは別に、前記撮影エリアを照らすことが可能な第２照明装置と、
前記第１照明装置をオン且つ前記第２照明装置をオフしているプリ状態で前記撮像部からプリ撮影画像を取得した後、前記第１照明装置をオン且つ前記第２照明装置をオンしている対象状態で前記撮像部から対象撮影画像を取得する撮影制御部と、を備え、
前記撮影制御部は、前記プリ撮影画像における所定の第１及び第２画像領域間の輝度差に応じて、前記対象状態における前記第２照明装置の照明強度を制御する
ことを特徴とする電子機器。
【請求項９】
前記撮影制御部は、前記輝度差の増大につれて、前記対象状態における前記第２照明装置の照明強度を増大させる
ことを特徴とする請求項８に記載の電子機器。
【請求項１０】
前記撮影エリアは、前記第１及び第２画像領域に対応する第１及び第２エリアを含み、
前記第１照明装置の照明による前記第１エリア内の照度は、前記第１照明装置の照明による前記第２エリア内の照度よりも高い
ことを特徴とする請求項８又は９に記載の電子機器。
【請求項１１】
前記第２照明装置のオンに伴う前記第２エリア内の照度の増大量は、前記第２照明装置のオンに伴う前記第１エリア内の照度の増大量よりも高い
ことを特徴とする請求項１０に記載の電子機器。
【請求項１２】
前記撮影制御部は、前記対象撮影画像を取得する際、前記対象撮影画像の取得前との比較において、前記第１照明装置の照明強度を低下させる
ことを特徴とする請求項８乃至１１の何れかに記載の電子機器。
【請求項１３】
前記撮影制御部は、前記輝度差に基づき前記対象状態における前記第２照明装置の照明強度を設定し、設定強度に応じて前記低下の実行有無を制御する
ことを特徴とする請求項１２に記載の電子機器。
【発明の詳細な説明】
【技術分野】
【０００１】
本発明は、電子機器に関する。
【背景技術】
【０００２】
撮影エリアを照らす照明装置を備えたカメラが存在する。そのようなカメラの内、照明装置の機能を主機能と捉えたカメラ付き懐中電灯も提案されている（例えば下記非特許文献１参照）。
【０００３】
尚、特許文献１には、露出演算時における測光値の重み付け係数を焦点距離に応じて決定する方法が示されている。特許文献２には、ビデオライトとストロボを備えた電子カメラにおいて、必要に応じ、ビデオライトとストロボの双方を発光させる方法が示されている。
【先行技術文献】
【特許文献】
【０００４】
【特許文献１】特開２０１２−１９４２６２号公報
【特許文献２】特開２０１２−２２７８９６号公報
【非特許文献】
【０００５】
【非特許文献１】“LED懐中電灯型カメラ付デジタルビデオレコーダー”、［ｏｎｌｉｎｅ］、ケルク電子システム株式会社、［平成２５年１月２４日検索］、インターネット＜http://www.njp.co.jp/news/kelc1.html＞
【発明の概要】
【発明が解決しようとする課題】
【０００６】
照明装置を備えたカメラ又はカメラ付き懐中電灯においては、撮影エリア内の照度は均一でないことも多く、特にカメラ付き懐中電灯では、撮影エリア内の中央部分しか照らされないことも多い。
【０００７】
画像撮影において露出の適正化は重要であるが、照明装置による撮影エリア内の照度が不均一となる状況下（例えば撮影エリア内の中央部分しか照らされないような状況下）において、露出制御を如何に適正に行うかについての方法は、未だ提案されていない。
【０００８】
また、暗所において、ビデオライト等の第１照明装置を常時オンにしておきつつ、必要な時にだけ（例えば静止画像撮影を行う時にだけ）ストロボ等の第２照明装置をオンにする、といった方法が考えられる。しかし、この場合においても、第１照明装置による撮影エリア内の照度が不均一となる状況下（例えば撮影エリア内の中央部分しか照らされないような状況下）では、適正な画像取得のために、何らかの工夫が必要になる。例えば、第１照明装置による撮影エリア内の中央照度及び周辺照度間の差が「１」のときと「１００」のときとでは、第２照明装置の発光のさせ方に工夫がいると考えられ、当該工夫によって適正な画像取得が促進されると考えられる。
【０００９】
上述の説明では、照明装置を備えたカメラ又はカメラ付き懐中電灯に注目しているが、撮影機能を有する任意の電子機器についても同様のことが言える。
【００１０】
そこで本発明は、照明を利用する際、明るさに関して適正な撮影を可能ならしめる電子機器（例えば、露出制御の適正化に寄与する電子機器又は全体的に明るい画像の取得に寄与する電子機器）を提供することを目的とする。
【課題を解決するための手段】
【００１１】
本発明に係る電子機器は、撮影エリアを撮影する撮像部と、前記撮影エリアを照らす照明装置と、前記撮影エリア内の複数の評価エリアの夫々に対して明るさに応じた評価値を導出し、前記複数の評価エリアに対する複数の評価値に重みを付与して所定演算を行うことで露出制御値を導出する導出部と、前記露出制御値に基づき前記撮影における露出制御を行う露出制御部と、前記照明装置による照明の条件に応じて各評価値に対する重みを設定する重み付け設定部と、を備えたことを特徴とする。
【００１２】
照明の条件に応じて露出制御に関わる評価値の重みを設定するため、照明装置による撮影エリア内の照度が不均一となる状況下（例えば撮影エリア内の中央部分しか照らされないような状況下）においても、適正な露出制御を実現することが可能となる。
【００１３】
本発明に係る他の電子機器は、撮影エリアを撮影する撮像部と、前記撮影エリアを照らす第１照明装置と、前記第１照明装置とは別に、前記撮影エリアを照らすことが可能な第２照明装置と、前記第１照明装置をオン且つ前記第２照明装置をオフしているプリ状態で前記撮像部からプリ撮影画像を取得した後、前記第１照明装置をオン且つ前記第２照明装置をオンしている対象状態で前記撮像部から対象撮影画像を取得する撮影制御部と、を備え、前記撮影制御部は、前記プリ撮影画像における所定の第１及び第２画像領域間の輝度差に応じて、前記対象状態における前記第２照明装置の照明強度を制御することを特徴とする。
【００１４】
上記輝度差は、第１照明装置による撮影エリア内の照度の不均一度合いを反映している。この輝度差に基づき、対象撮影画像の取得時における第２照明装置の照明強度を制御することにより、上記不均一度合いに応じた照明を第２照明装置から出射させることが可能となる。結果、画像全体において適正な明るさを持った対象撮影画像を取得することが可能となる。
【発明の効果】
【００１５】
本発明によれば、照明を利用する際、明るさに関して適正な撮影を可能ならしめる電子機器（例えば、露出制御の適正化に寄与する電子機器又は全体的に明るい画像の取得に寄与する電子機器）を提供することが可能である。
【図面の簡単な説明】
【００１６】
【図１】本発明の第１実施形態に係る電子機器の外観斜視図である。
【図２】本発明の第１実施形態に係る電子機器の概略構成ブロック図である。
【図３】本発明の第１実施形態に係り、撮像部の撮影エリアを示す図（ａ）、ランプの照射エリアを示す図（ｂ）、及び、それらの関係を示す図（ｃ））である。
【図４】電子機器の前方に配置された仮想的な平面を示す図である。
【図５】図４の平面上において、撮像部の撮影エリアを示す図（ａ）、ランプの照射エリアを示す図（ｂ）、及び、それらの関係を示す図（ｃ））である。
【図６】本発明の第１実施形態に係り、撮影エリア内に設定される複数の評価エリアを示す図である。
【図７】本発明の第１実施形態に係る電子機器の一部ブロック図である。
【図８】第１重み設定方法にて想定される撮影画角とランプの照射角との関係を示す図である。
【図９】第１重み設定方法に係り、重みの設定値の具体例を示す図である。
【図１０】撮影画角（撮影エリア）及び照射エリアの関係概念図（ａ）と、撮影画像の例を示す図である。
【図１１】第１重み設定方法に係り、重みの設定値の他の具体例を示す図である。
【図１２】電子機器の前方に配置された仮想的な平面を示す図である。
【図１３】第２重み設定方法に係り、被写体距離が第１距離、第２距離であるときの平面（壁）、撮影エリア及び照射エリアの関係を示す図である。
【図１４】第２重み設定方法に係り、重みの設定値の具体例を示す図である。
【図１５】第４重み設定方法に係り、重みの設定値の具体例を示す図である。
【図１６】第５重み設定方法に係り、重みの設定値の具体例を示す図である。
【図１７】本発明の第２実施形態に係る電子機器の概略構成ブロック図である。
【図１８】本発明の第２実施形態に係る撮影画像の第１例及び第２例である。
【図１９】本発明の第２実施形態に係る撮影制御部を示す図である。
【図２０】本発明の第２実施形態に係る電子機器の動作フローチャートである。
【図２１】本発明の第２実施形態に係り、プリ撮影画像に設定される複数の画像領域を示す図である。
【発明を実施するための形態】
【００１７】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００１８】
＜＜第１実施形態＞＞
本発明の第１実施形態を説明する。図１は、本発明の第１実施形態に係る電子機器１の外観斜視図である。電子機器１は、任意のデータを取得、記録、再生又は加工等することができる任意の電子機器であり、例えば、携帯電話機、情報端末、パーソナルコンピュータ、電子書籍リーダ、電子辞書、デジタルカメラ、ゲーム機器又はナビゲーション装置である。本実施形態では、例として、電子機器１が懐中電灯としての機能をも持っていることを想定する。図１では、電子機器１が懐中電灯の機能を持つことを考慮して、またユーザの使いやすさを考慮して、電子機器１の外形形状を概略円筒形状にしているが、電子機器１の外形形状は任意である。
【００１９】
図２は電子機器１の概略構成ブロック図である。電子機器１は、符号１１〜１８によって参照される各部位を備える。撮像部１１は、複数枚のレンズから形成される光学系と、ＣＣＤ（Charge Coupled Device）又はＣＭＯＳ（Complementary Metal Oxide Semiconductor）イメージセンサなどから成る撮像素子（固体撮像素子）を備える。撮像素子には、撮影エリア内からの光が入射する。撮像素子は、光学系を介して入射した、撮影エリア内の被写体に応じた光を光電変換することで、被写体の画像信号を生成し出力する。即ち、撮像部１１は、撮像素子を用いて撮影エリア（被写体）を撮影することで撮影エリア（被写体）の画像信号を生成及び出力する。撮像部１１の焦点距離ｆは、固定されていても良いし、可変であっても良い。以下の説明における撮影画像とは、特に記述無き限り、撮像部１１による撮影画像を指す。
【００２０】
信号処理部１２は、撮像部１１の出力信号に対して所定の信号処理を施す。主制御部１３は、ＣＰＵ（Central Processing Unit）、ＲＯＭ（Read Only Memory）及びＲＡＭ（Random Access Memory）等にて形成され、操作部１６に入力された各種指示及び操作に従いつつ、電子機器１内の各部位の動作を統括的に制御する。表示画面１４は、液晶ディスプレイパネル等から成り、任意の映像を表示する。尚、表示画面１４を割愛することもできる。記録媒体１５は、半導体メモリ又は磁気ディスク等にて形成された不揮発性の記録媒体であり、任意の信号及びデータを記録する。操作部１６は、機械式押しボタンスイッチやダイヤル等の機械式操作部材、及び／又は、表示画面１４に付随するタッチパネルにて形成され、ユーザからの各種指示及び操作を受け付ける。ユーザとは、電子機器１の操作者（撮影者を含む）である。
【００２１】
操作部１６がユーザから受ける操作には、静止画像の撮影指示に相当するシャッタ操作が含まれる。シャッタ操作が操作部１６に入力されると、主制御部１３は、撮像部１１に静止画像の撮影を行わせ、これによって得た静止画像の画像信号を記録媒体１５に書き込む。撮像部１１は動画像撮影を行うこともでき、撮像部１１の出力信号に基づく動画像の画像信号も記録媒体１５に記録可能である。
【００２２】
ランプ１７は、白熱電球又はＬＥＤ（Light Emitting Diode）等の任意の光源から成り、撮像部１１の撮影エリア（従って撮影エリア内の被写体）を照らすための照明装置として機能する。撮像部１１における撮影エリアは、ランプ１７の照明光の照射エリアの一部又は全部を含んでおり、ランプ１７の点灯時において、撮影エリアの一部又は全部はランプ１７により照らされる。ランプ１７を消灯することも可能であるが、以下では、特に記述無き限り、ランプ１７が常に点灯しているものとする。図３（ａ）及び（ｂ）に、撮像部１１の撮影エリアＳＳ及びランプ１７の照明光の照射エリアＬＬを示す。一点鎖線ＡＸOPTは、撮像部１１の光軸を示している。光軸ＡＸOPTは、撮影エリアＳＳの中心を通る。図３（ｃ）に、エリアＳＳ及びＬＬを重ね合わせて示す。照射エリアＬＬは、ランプ１７による照射光の照度が所定値以上のエリアであると考えて良い。
【００２３】
測光回路１８は、任意のエリア内の明るさを測定する測光センサ（不図示）を用いて、撮影エリアＳＳ内の明るさに応じた測光評価値を導出する。電子機器１において、撮像部１１の撮像素子を測光センサとして用いても良いし、撮像部１１の撮像素子とは別に測光センサを設けておいても良い。
【００２４】
図４において、符号３００は光軸ＡＸOPTを直交する任意の平面を表す。平面３００への被写体の投影像又は平面３００上に位置する被写体の像が撮像部１１にて撮影され、撮影画像に現れることになる。以下では、説明の具体化及び明確化のため、三次元エリアである撮影エリアＳＳ及び照射エリアＬＬの内、平面３００上の二次元の撮影エリアＳＳ及び照射エリアＬＬに注目する。
【００２５】
図５（ａ）〜（ｃ）において、斜線領域は、平面３００上における撮像部１１の撮影エリアＳＳを表し、ドット領域は、平面３００上におけるランプ１７の照射エリアＬＬを表し、点Ｏは、光軸ＡＸOPTと平面３００との交点を表している。平面３００において、撮影エリアＳＳは、点Ｏを中心とする矩形状のエリアである。平面３００において、照射エリアＬＬは、真円又は楕円状のエリアである。以下では、平面３００において、照射エリアＬＬは、点Ｏを中心に持った真円の内側のエリアであるとする（但し、照射エリアＬＬの中心は点Ｏからずれていても良い）。故に、以下では、点Ｏを中心とも呼ぶ。中心Ｏにおける被写体の画像信号が撮影画像の中心に位置することになる。図５（ｃ）に示す如く、平面３００において、撮影エリアＳＳ及び照射エリアＬＬは互いに重なり合う。撮像部１１の焦点距離ｆによっては或いは撮像部１１及び平面３００間の距離によっては、照射エリアＬＬの一部が撮影エリアＳＳからはみ出すこともあるが、以下では、図５（ｃ）の例の如く、照射エリアＬＬは撮影エリアＳＳよりも小さく、照射エリアＬＬの全体が撮影エリアＳＳに包含されていると考える。
【００２６】
測光回路１８は、撮影エリアＳＳ内に複数の評価エリアを設定し、評価エリアごとに評価エリアの明るさに応じた測光評価値を求める。以下では、図６に示す如く、平面３００に正対するユーザから見て、中心Ｏから右、左、上、下に向かう方向を、夫々、右、左、上、下方向と考える。左右方向は、撮像部１１の撮像素子及び撮影画像の水平方向に対応し、上下方向は、撮像部１１の撮像素子及び撮影画像の垂直方向に対応する。そして、整数ｍ及びｎを用いて、各評価エリアを記号ＥＡ［ｍ，ｎ］にて参照する。評価エリアＥＡ［０，０］は、中心Ｏを内包する評価エリアである。任意の整数ｍ及びｎについて、評価エリアＥＡ［ｍ，ｎ］の右、左、上、下に隣接する評価エリアは、夫々、評価エリアＥＡ［ｍ＋１，ｎ］、ＥＡ［ｍ−１，ｎ］、ＥＡ［ｍ，ｎ−１］、ＥＡ［ｍ，ｎ＋１］である。撮影エリアＳＳには、評価エリアＥＡ［−Ｍ，−Ｎ］〜ＥＡ［Ｍ，Ｎ］から成る計“（２Ｍ＋１）×（２Ｎ＋１）”個の評価エリアがマトリクス状に配列して設けられる。Ｍ及びＮは夫々１以上の整数である。但し、複数の評価エリアの配列方法は図６の配列方法に限定されない。電子機器１において、照射エリアＬＬと撮影エリアＳＳとの位置関係及び大きさ関係は予め分かっていてよく、結果、照射エリアＬＬと各評価エリアとの位置関係も予め分かっていて良い。
【００２７】
評価エリアＥＡ［ｍ，ｎ］に対して導出された測光評価値、即ち、評価エリアＥＡ［ｍ，ｎ］の明るさに応じた測光評価値を記号Ｖ［ｍ，ｎ］にて表す。測光回路１８にて導出された各評価エリアの測光評価値（即ち、Ｖ［−Ｍ，−Ｎ］〜Ｖ［Ｍ，Ｎ］）は、図７に示す如く重み付け演算部２１に送られる。図７の重み付け演算部２１、重み付け設定部２２及び露出制御部２３を、例えば、主制御部１３に設けておくことができる。重み付け演算部２１は、測光評価値Ｖ［−Ｍ，−Ｎ］〜Ｖ［Ｍ，Ｎ］に重みを付与して所定演算を行うことで露出制御値ＶEXを算出する。重み付け設定部２２は、上記所定演算における重みを設定する。
【００２８】
露出制御部２３は、露出制御値ＶEXに基づき、撮像部１１の撮影における露出制御を行う。露出制御には、静止画像又は動画像中の各フレームの撮影時におけるシャッタ速度（即ち、静止画像又は動画像中の各フレームの画像信号を得る際における、撮像素子の露光時間の逆数）の制御、被写体と撮像素子との間に設けられる絞りの絞り値の制御、及び、撮影感度の制御が含まれ、露出制御によって静止画像又は動画像中の各フレームの明るさが適正化される。撮影感度は、ＩＳＯ感度（International Organization for Standardization）によって規定された感度）又はＩＳＯ感度に応じた感度であり、撮影感度の制御によって、静止画像又は動画像中の各フレームにおける輝度信号の増幅率が調整される。即ち、信号処理部１２は、撮像部１１の出力信号を増幅することで上記輝度信号を増幅することができ、そのときの増幅率を撮影感度に応じて定めることができる。
【００２９】
重み付け演算部２１は、測光評価値Ｖ［−Ｍ，−Ｎ］〜Ｖ［Ｍ，Ｎ］の重み付け加算を介して露出制御値ＶEXを算出する。即ち、測光評価値Ｖ［ｍ，ｎ］に付与される重みを記号ｗ［ｍ，ｎ］に表すと、下記式（１）に従って露出制御値ＶEXが算出される。重みｗ［ｍ，ｎ］は、０以上１以下の値をとる。
【００３０】
【数１】
2014176061.tif 000003
【００３１】
重み付け設定部２２にて用いることのできる第１〜第６重み設定方法を説明する。矛盾無き限り、第１〜第６重み設定方法の内、或る重み設定方法の説明にて述べた事項を任意の他の重み設定方法に適用することができ、第１〜第６重み設定方法の内、２以上の重み設定方法を組み合わせて用いて重みを設定しても良い。
【００３２】
［第１重み設定方法］
第１重み設定方法を説明する。設定部２２は、ランプ１７の照明条件に応じて重みの設定を行うことができ、ランプ１７の照明条件には照射エリアＬＬの条件が含まれる。
【００３３】
ランプ１７からの光はランプ１７の中心から角度φの広がりを以って前方（被写体側）に出射されていると仮定することができ、この仮定は、被写体距離が一定の範囲（例えば１ｍ〜５ｍ）内にあるときに確からしい（逆にいえば、そのような仮定が真となるような特性をランプ１７が有している）。被写体距離とは、撮像部１１にて撮影されるべき被写体と電子機器１（撮像部１１）との距離を指す。第１重み設定方法では、この仮定を照射エリアＬＬに適用する。そうすると、ランプ１７の照射角φと撮像部１１の撮影画角θとの関係は、図８のようになる。尚、説明の簡単化のため、ランプ１７の中心と撮像部１１の光学中心は一致していると考える。
【００３４】
ランプ１７の照射角φはランプ１７の設計又は製造段階で定まり、設定部２２は照射角φを予め認識している。撮像部１１の焦点距離ｆが定まれば、撮像部１１の撮影画角θが定まる。ここでは、撮影画角θが撮像部１１の水平撮影画角であるとする。撮像部１１の垂直撮影画角は、水平撮影画角に所定係数を乗じたものである。撮像部１１の焦点距離ｆは、固定されていても良いし、可変であっても良い。焦点距離ｆが可変であるとき、焦点距離ｆを大きくすることで“θ＜φ”が成立しうるが、第１重み設定方法では、“θ＞φ”が成立しているものとする。
【００３５】
設定部２２は、焦点距離ｆに対応する撮影画角θと所定の照射角φとに基づき、各評価エリアを、照射エリアＬＬ内に属する重点エリア、又は、照射エリアＬＬ内に属さない非重点エリア（即ち照射エリアＬＬ外に位置する非重点エリア）に分類する。
【００３６】
本実施形態では、上述したように、照射エリアＬＬの中心が撮影エリアＳＳの中心と点Ｏにて一致していると考えているため（図５（ａ）〜（ｃ）参照）、少なくとも、評価エリアＥＡ［０，０］は重点エリアに分類される（図６参照）。一方、少なくとも、評価エリアＥＡ［−Ｍ，−Ｎ］、ＥＡ［Ｍ，−Ｎ］、ＥＡ［−Ｍ，Ｎ］及びＥＡ［Ｍ，Ｎ］は、非重点エリアに分類される。
【００３７】
そして、設定部２２は、重点エリアに対する重み（即ち、重点エリアについて導出された測光評価値に付与される重み）が非重点エリアに対する重み（即ち、非重点エリアについて導出された測光評価値に付与される重み）よりも大きくなるように、各評価エリアに対する重みを設定する。図９に、重みの設定値の具体例を示す。図９の例では、各重点エリアに対して“１”の重みが設定され、各非重点エリアに対して“０．１”の重みが設定されている（後述の図１１（ａ）及び（ｂ）並びに図１４（ａ）及び（ｂ）の例でも同様）。尚、図９を含む、重みの設定値例を示す図では、図面の煩雑化防止のため、一部の評価エリアに対する重みしか図示していない。
【００３８】
電子機器１の周辺照度が相当に低く、図１０（ａ）及び（ｂ）に示す如く、ランプ１７によって被写体を照らした状態で被写体の静止画像又は動画像撮影を行う場合、当該被写体は照射エリアＬＬに配置されるため、照射エリアＬＬ内の明るさを考慮して露出制御を行うべきである。そして、この際、照射エリアＬＬに属さない評価エリアの測光評価値を考慮しても、被写体の露出適正化に全く又はあまり寄与せず、考慮のし過ぎは逆に被写体の露出適正化を阻害する。本方法の如く、照射エリアＬＬの条件を考慮し、照射エリアＬＬ内の評価エリアの重みを照射エリアＬＬ外の評価エリアの重みよりも大きく設定することで、ランプ１７によって照らされる被写体の露出の適正化が促進され、適正な明るさを持った静止画像又は動画像の撮影及び記録が可能となる。
【００３９】
焦点距離ｆが可変であるとき、焦点距離ｆの変化に応答して照射エリアＬＬ内に属する評価エリアが変化する。故に、設定部２２は、焦点距離ｆが変化したとき、焦点距離ｆの変化に応答して各評価エリアを重点エリア又は非重点エリアを再分類し、再分類結果に従って重みを再設定すると良い。焦点距離ｆに応じた分類により、例えば図１１（ａ）に示す如く、焦点距離ｆが比較的大きな焦点距離ｆ1であるとき（換言すれば、撮影画角θが比較的小さな撮影画角θ1であるとき）、重点エリアは計９つの評価エリアＥＡ［−１，−１］〜ＥＡ［１，１］を含み、一方で図１１（ｂ）に示す如く、焦点距離ｆが比較的小さな焦点距離ｆ2であるとき（換言すれば、撮影画角θが比較的大きな撮影画角θ2であるとき）、重点エリアは評価エリアＥＡ［０，０］のみとなる。ｆ1＞ｆ2、且つ、θ1＜θ2である。
【００４０】
［第２重み設定方法］
第２重み設定方法を説明する。第２重み設定方法では、被写体距離に応じて各評価エリアの重みを設定する。説明の具体化のため、被写体が壁としての平面３００であると考え、被写体（壁３００）と電子機器１（撮像部１１）との間の距離、即ち被写体距離を記号ｄにて表す（図１２参照）。また、平面（壁）３００は十分に大きく（無限の広がりを持っていると考えても良い）、光軸ＡＸOPTに直交する方向において、撮影エリアＳＳ及び照射エリアＬＬは平面（壁）３００を超えないものとする。
【００４１】
電子機器１は、被写体距離ｄを測定する測距センサ（不図示）を有する。測距センサは、公知の任意の距離測定方法を用いて被写体距離ｄを測定して良い。測距センサは、撮像部１１の出力信号を用いて被写体距離ｄを測定しても良いし、撮像部１１の出力信号を用いずに被写体距離ｄを測定しても良い。
【００４２】
設定部２２は、光軸ＡＸOPTを中心軸とする照射エリアＬＬの三次元形状を予め既知情報として認識している。故に、焦点距離ｆが定まれば、設定部２２は、照射エリアＬＬ及び撮影エリアＳＳ間の位置関係及び大きさ関係を三次元的に認識することができる。設定部２２は、上記認識内容と焦点距離ｆ（即ち撮影画角θ）と被写体距離ｄとに基づき、平面３００上の各部分が照射エリアＬＬ内に属しているのか否かを判断でき、結果、各評価エリアを重点エリア又は非重点エリアに分類することができる。
【００４３】
そして、第１重み設定方法と同様、設定部２２は、重点エリアに対する重みが非重点エリアに対する重みよりも大きくなるように、各評価エリアに対する重みを設定する。これにより、第１重み設定方法と同様の効果が得られる。
【００４４】
図１３（ａ）、（ｂ）に、夫々、被写体距離ｄが距離ｄ1、ｄ2であるときの平面（壁）３００、撮影エリアＳＳ及び照射エリアＬＬの関係を示す。ここで、“ｄ1＜ｄ2”であり、被写体距離ｄが距離ｄ1及びｄ2間で変化する際、焦点距離ｆは不変であったとする。更に、平面３００上における照射エリアＬＬの形状及び大きさは、ｄ＝ｄ1のときとｄ＝ｄ2のときとで同じであったとする。そうすると、平面３００において、撮影エリアＳＳを占める照射エリアＬＬの大きさの割合は、ｄ＝ｄ1のときの方がｄ＝ｄ2のときよりも大きくなる。結果、例えば図１４（ａ）に示す如く、ｄ＝ｄ1のとき、重点エリアは計９つの評価エリアＥＡ［−１，−１］〜ＥＡ［１，１］を含み、一方で図１４（ｂ）に示す如く、ｄ＝ｄ2のとき、重点エリアは評価エリアＥＡ［０，０］のみとなる。
【００４５】
概念的に理解しやすくなるように被写体が壁であると考えたが、勿論、撮像部１１の被写体は壁以外でも良い。例えば被写体が人である場合においても、当該人の被写体距離ｄを測定し、上述の方法にて重みを設定すればよい。実際には例えば、被写体距離ｄと焦点距離ｆの入力とし且つ各評価エリアに対する重みを出力とするテーブルデータ（ルックアップテーブル等）を、上記既知情報に基づき作成して設定部２２に持たせておけば良い。
【００４６】
［第３重み設定方法］
第３重み設定方法を説明する。照射エリアＬＬが可変となるようにランプ１７が形成されていても良い。例えば、ランプ１７を第１ランプ及び第２ランプにて形成しておく。そして例えば、ユーザが操作部１６に設けられた切り替えスイッチ等を操作することで、点灯するランプが第１及び第２ランプ間で切り替わるようにランプ１７を形成しておく。第１ランプが点灯しているときの照射エリアＬＬは第１照射エリアであって且つ第２ランプが点灯しているときの照射エリアＬＬは第２照射エリアであり、第１及び第２照射エリアは互いに異なる。
【００４７】
この場合、第１ランプが点灯している場合には第１照射エリアに対して、上述の第１又は第２重み設定方法による重みの設定処理を行えば良く、第２ランプが点灯している場合には第２照射エリアに対して、上述の第１又は第２重み設定方法による重みの設定処理を行えば良い。第１及び第２照射エリアは互いに異なるため、照射エリアＬＬが第１及び第２照射エリア間で変化したとき、その変化に応答して、設定部２２は、各評価エリアに対する重み（即ち、各評価エリアについて導出された測光評価値に付与される重み）を変更することになる。結果、照射エリアＬＬの変化に適応して最適な重み設定が維持される。
【００４８】
［第４重み設定方法］
第４重み設定方法を説明する。ランプ１７の照明強度（ランプ１７による照明の強度）が可変となるようにランプ１７が形成されていても良い。当該照明強度もランプ１７の照明条件の一種である。ランプ１７に関し、照明強度を表す物理量は任意であり、例えば光束、照度、光度又は輝度である（後述のランプ１７Ａ及び１７Ｂについても同様）。例えば、ランプ１７を調光可能な光源（ＬＥＤ等）にて形成しておく。そして例えば、ユーザが操作部１６に設けられた強度スイッチ等を操作することで、ランプ１７から出射される照明の強度が変化するようにランプ１７及びランプ１７の駆動回路を形成しておく。また、操作部１６への所定操作に応答してランプ１７を消灯させることもできる。
【００４９】
照明強度の変化は無段階変化でも多段階変化でも良いが、今、説明の具体化のため、ランプ１７の照明強度が第１及び第２強度間で変化することを考える。ここで、第２強度は第１強度よりも高いものとする。図１５（ａ）、（ｂ）に、夫々、ランプ１７の照明強度が第１強度、第２強度であるときの重みの設定値の具体例を示す。更に、ランプ１７の照明強度がゼロであるとき、即ちランプ１７が消灯しているときの重みの設定値の具体例を図１５（ｃ）に示す。
【００５０】
夕方など、電子機器１の周辺が薄暗いとき、ユーザは、ランプ１７の照明強度を比較的弱い第１強度に設定することができる。つまり、ランプ１７の照明強度が第１強度に設定されているとき、電子機器１の周辺照度（周辺環境の照度）は、若干低いもののランプ１７の照明強度が第２強度に設定されるほど低くないことが予想される。このような場合には、非重点エリアに対する重みもある程度高めて、撮影エリアＳＳ全体の露出適正化を図った方が好ましい（本来、撮像部１１は撮影エリアＳＳ全体の画像を取得するためのものであるため）。故に、ランプ１７の照明強度が第１強度に設定されているとき、設定部２２は、重点エリアに対する重みを１に設定し且つ非重点エリアに対する重みを所定値ＶAに設定する。図１５（ａ）において、“ＶA＝０．５”である。
【００５１】
一方、夜間など、電子機器１の周辺が相当に暗いとき、ユーザは、ランプ１７の照明強度を比較的強い第２強度に設定することができる。つまり、ランプ１７の照明強度が第２強度に設定されているとき、電子機器１の周辺照度は、ランプ１７の照明強度が第１強度に設定されるときよりも低いことが予想される。このような場合には、非重点エリアの照度は相応に低いと考えられるため、非重点エリアの画像信号を取得してもあまり意味を成さず（例えば、所謂黒つぶれの画像信号が得られるだけとなる）、また、非重点エリアに対する重みを不必要に高めると、本来撮影されるべき重点エリア内の被写体の露出適正化が阻害される。故に、ランプ１７の照明強度が第２強度に設定されているとき、設定部２２は、重点エリアに対する重みを１に設定し且つ非重点エリアに対する重みを所定値ＶBに設定する。図１５（ｂ）において、“ＶB＝０．１”である。
【００５２】
また、昼間など、ユーザは、ランプ１７を消灯させることができる。ランプ１７が消灯しているときには、撮影エリアＳＳの全体が比較的明るいことが予想されるため、撮影エリアＳＳ全体の露出適正化を狙った方が好ましい（本来、撮像部１１は撮影エリアＳＳ全体の画像を取得するためのものであるため）。故に、ランプ１７が消灯しているとき、設定部２２は、重点エリアに対する重みを１に設定し且つ非重点エリアに対する重みを所定値ＶOFFに設定する。図１５（ｃ）において、“ＶOFF＝０．８”である。
【００５３】
尚、ランプ１７が消灯しているときの重点エリア及び非重点エリアは、ランプ１７が点灯していると仮定したときの重点エリア及び非重点エリアと一致する。“ＶA＝０．５”、“ＶB＝０．１”及び “ＶOFF＝０．８”は例示であり、“１≧ＶOFF＞ＶA＞ＶB≧０”を満たす範囲で、値ＶA、ＶB及びＶOFFは任意である。
【００５４】
このように、第４重み設定方法において、設定部２２は、ランプ１７の照明強度の変化に応答して又はランプ１７の点灯及び消灯間の変化に応答して、各評価エリアに対する重み（即ち、各評価エリアについて導出された測光評価値に付与される重み）を変更する。結果、環境に適応した最適な重み設定が維持される。第４重み設定方法を、第１〜第３重み設定方法と組み合わせて実施しても良い。
【００５５】
［第５重み設定方法］
第５重み設定方法を説明する。電子機器１に、電子機器１の周辺照度を測定する照度センサ（不図示）を設けておいても良い。電子機器１の周辺照度とは、ランプ１７の照明による照度ではなく、ランプ１７の照射エリアＬＬ外のエリアにおける照度（環境照度）を指す。設定部２２は、測定された周辺照度に応じて、各評価エリアに対する重み（即ち、各評価エリアについて導出された測光評価値に付与される重み）を設定しても良い。これにより、環境に適応した最適な重みを設定することが可能となる。
【００５６】
図１６（ａ）、（ｂ）に、夫々、測定された周辺照度が第１照度、第２照度であるときの重みの設定値の具体例を示す。ここで、第１照度は第２照度よりも高いものとする。
【００５７】
周辺照度が比較的高いとき、非重点エリアもそれほど暗くないと考えられるため、非重点エリアに対する重みもある程度高めて、撮影エリアＳＳ全体の露出適正化を図った方が好ましい（本来、撮像部１１は撮影エリアＳＳ全体の画像を取得するためのものであるため）。故に、測定された周辺照度が比較的高い第１照度であるとき、設定部２２は、重点エリアに対する重みを１に設定し且つ非重点エリアに対する重みを所定値ＶAに設定する。図１６（ａ）において、“ＶA＝０．５”である。
【００５８】
周辺照度が比較的低いとき、非重点エリアの照度も相応に低いと考えられるため、非重点エリアの画像信号を取得してもあまり意味を成さず（例えば、所謂黒つぶれの画像信号が得られるだけとなる）、また、非重点エリアに対する重みを不必要に高めると、本来撮影されるべき重点エリア内の被写体の露出適正化が阻害される。故に、測定された周辺照度が比較的低い第２照度であるとき、設定部２２は、重点エリアに対する重みを１に設定し且つ非重点エリアに対する重みを所定値ＶBに設定する。図１６（ｂ）において、“ＶB＝０．１”である。
【００５９】
また、周辺照度が変化すれば、被写体の明るさに対するランプ１７の照明の影響度合いも変化してくる。このことからも、周辺照度に応じて重みを設定することが望ましい。尚、“ＶA＝０．５”及び“ＶB＝０．１”は例示であり、“１＞ＶA＞ＶB≧０”を満たす範囲で、値ＶA及びＶBは任意である。第５重み設定方法を、第１〜第４重み設定方法と組み合わせて実施しても良い。
【００６０】
［第６重み設定方法］
第６重み設定方法を説明する。設定部２２は、撮像部１１の出力信号から得られる輝度情報を用いて重みを設定しても良い。例えば、設定部２２は、撮像部１１の出力信号から撮影画像中の輝度信号を抽出し、評価エリアに対応する輝度レベル（例えば評価エリアに対応する画像領域中の平均輝度値）を評価エリアごとに導出する。所定値以下の輝度レベルを有する評価エリアは照射エリアＬＬに属していないと判断することができる。従って例えば、設定部２２は、所定値以下の輝度レベルを有する評価エリアを非重点エリアに分類し、所定値より大きな輝度レベルを有する評価エリアを重点エリアに分類する。分類結果に応じた重みの設定方法は上述した通りである。
【００６１】
第１〜第６重み設定方法に共通する事項について付言する。上述の幾つかの具体例において、重点エリア及び非重点エリアに対し“１”の重み及び“０．１”の重みを設定しているが、重点エリアに対する重みが非重点エリアに対する重みよりも大きい限り、重点エリア及び非重点エリアに対する重みの値は任意である。重点エリアが複数存在する場合、複数の重点エリア間で重みが一致していても良いし異なっていても良い。複数の重点エリア間で重みを異ならせる場合、例えば、中心Ｏからの距離が近い重点エリアほど対応する重みを大きくする。同様に、非重点エリアが複数存在する場合、複数の非重点エリア間で重みが一致していても良いし異なっていても良い。複数の非重点エリア間で重みを異ならせる場合、例えば、中心Ｏからの距離が近い非重点エリアほど対応する重みを大きくする。
【００６２】
＜＜第２実施形態＞＞
本発明の第２実施形態を説明する。図１７は、第２実施形態に係る電子機器１ａの概略構成ブロック図である。電子機器１ａが、ランプ１７の代わりにメインランプ１７Ａ及びサブランプ１７Ｂを備えている点を除き、電子機器の構成において、電子機器１ａと第１実施形態の電子機器１は同様であり、電子機器１に対して上述した説明が電子機器１ａにも適用される。
【００６３】
ランプ１７Ａ及び１７Ｂの夫々は、白熱電球又はＬＥＤ（Light Emitting Diode）等の任意の光源から成り、撮影エリアＳＳ内の被写体を照らすための照明装置として機能する。撮影エリアＳＳは、ランプ１７Ａの照明光の照射エリアの一部又は全部を含んでおり、ランプ１７Ａの点灯時において、撮影エリアＳＳの一部又は全部はランプ１７Ａにより照らされる。同様に、撮影エリアＳＳは、ランプ１７Ｂの照明光の照射エリアの一部又は全部を含んでおり、ランプ１７Ｂの点灯時において、撮影エリアＳＳの一部又は全部はランプ１７Ｂにより照らされる。当然であるが、ランプ１７Ａの消灯時にはランプ１７Ａによって撮影エリアＳＳは照らされず、ランプ１７Ｂの消灯時にはランプ１７Ｂによって撮影エリアＳＳは照らさない。以下、ランプ１７Ａ、１７Ｂの点灯を、夫々、ランプ１７Ａ、１７Ｂのオンとも表現し、ランプ１７Ａ、１７Ｂの消灯を、夫々、ランプ１７Ａ、１７Ｂのオフとも表現する。
【００６４】
また、メインランプ１７Ａは、第１実施形態のランプ１７として機能し、メインランプ１７Ａの照射エリアはランプ１７の照射エリアＬＬと同じである。本実施形態の照射エリアＬＬは、メインランプ１７Ａの照射エリアを指す。照射エリアＬＬと撮影エリアＳＳと光軸ＡＸOPTの位置関係、及び、照射エリアＬＬと撮影エリアＳＳの大きさ関係などは、第１実施形態で述べた通りである（図３（ａ）〜（ｃ）参照）。
【００６５】
撮像部１１の焦点距離ｆ又は照射エリアＬＬの形状によっては、照射エリアＬＬの一部が撮影エリアＳＳの外にはみ出すこともあるが、本実施形態では、図５（ａ）〜（ｃ）を参照して説明した照射エリアＬＬ、撮影エリアＳＳ及び中心Ｏ間の関係が成立するものとする。従って、平面３００において、照射エリアＬＬは撮影エリアＳＳよりも小さく、照射エリアＬＬの全体が撮影エリアＳＳに包含されている。サブランプ１７Ｂは、メインランプ１７Ａとは別に、撮影エリアＳＳを照らすことが可能である。サブランプ１７Ｂの照明光の照射エリアはメインライン１７Ａのそれよりも広く、ランプ１７Ｂがオンのとき、ランプ１７Ｂは撮影エリアＳＳの全体を照らす。
【００６６】
本実施形態では、暗い環境下で電子機器１ａを使用することを想定し、メインランプ１７Ａが常にオンになっているものとする。図１８（ａ）の画像４００は、メインランプ１７Ａがオン且つサブランプ１７Ｂがオフのときの撮影画像を表している。撮影画像４００では、メインランプ１７Ａによって照らされたエリアについての画像領域が突出して明るく、撮影画像４００の外周に近い画像領域は相当に暗くなっている。サブランプ１７Ｂは、撮影画像の明るさが全体的に適正になるように、必要なときにオンとされる。図１８（ｂ）の画像４１０は、メインランプ１７Ａがオン且つサブランプ１７Ｂがオンのときの撮影画像を表している。
【００６７】
これを実現すべく、主制御部１３に、図１９に示す如く、照明制御部４１を内包する撮影制御部４２を設けておく。照明制御部４１は、サブランプ１７Ｂのオン／オフを制御し、必要なタイミングにおいてのみサブランプ１７Ｂをオンにする。照明制御部４１は、更に、メインランプ１７Ａのオン／オフの制御、並びに、ランプ１７Ａ及び１７Ｂの照明強度の制御が可能であっても良い。撮影制御部４２は、撮像部１１の制御を介して撮像部１１から撮影画像を取得する（換言すれば、撮像部１１に撮影画像を取得させる）。
【００６８】
図２０を参照して、第２実施形態に係る電子機器１ａの動作の流れを説明する。まず、ステップＳ２１において、ユーザ操作によりメインランプ１７Ａがオンとされる。電子機器１ａの周辺照度等に応じ、照明制御部４１がランプ１７Ａを自動的にオンしても良い。シャッタ操作は、操作部１６に設けられたシャッタボタン（不図示）を所定ストローク量だけ押しこむ半押し操作と、その後においてシャッタボタンを所定ストローク量更に押し込む全押し操作とから成る。ステップＳ２２において、撮影制御部４２は半押し操作の有無を確認して、半押し操作があった場合にステップＳ２３への遷移を発生させる。
【００６９】
ステップＳ２３において、撮影制御部４２は、メインランプ１７Ａをオン且つサブランプ１７Ｂをオフにしている状態で撮像部１１に撮影を行わせてプリ撮影画像を取得する（即ち、当該状態での撮影により撮像部１１にプリ撮影画像の画像信号を取得させる）。図１８（ａ）の画像４００はプリ撮影画像の例であり、ここでは画像４００がプリ撮影画像として取得されると考える。
【００７０】
続くステップＳ２４において、撮影制御部４２に設けられた輝度差算出部（不図示）は、プリ撮影画像４００内に互いに異なる所定の第１及び第２画像領域を設定して、プリ撮影画像４００の画像信号に基づき第１画像領域の輝度レベルＢＬ１及び第２画像領域の輝度レベルＢＬ２を導出し、更に、輝度レベルＢＬ１及びＢＬ２間の差を輝度差ΔＢとして求める。“ΔＢ＝｜ＢＬ１−ＢＬ２｜”であるが、“ＢＬ１＞ＢＬ２”の成立が期待されるので“ΔＢ＝ＢＬ１−ＢＬ２”でも良い。輝度レベルＢＬ１及びＢＬ２は、例えば、夫々、第１及び第２画像領域内の輝度信号の平均レベルである。
【００７１】
図２１（ａ）において、画像領域４２０及び４３０は、夫々、第１及び第２画像領域の例である。撮影エリアＳＳは、メインランプ１７Ａによって照らされる基準エリア（即ち撮影エリアＳＳと照射エリアＬＬとが重なり合うエリア）と、メインランプ１７Ａによって照らされない周辺エリアと、に分類される。第１画像領域は、基準エリアに対応する画像領域（即ち、上述の重点エリア内の画像信号を持つ画像領域）を含む。第２画像領域は、基準エリアに対応する画像領域を含まず、周辺エリアに対応する画像領域（即ち、上述の非重点エリア内の画像信号を持つ画像領域）を含む。
【００７２】
上述の記述から理解されるように、基準エリアは照射エリアＬＬ内のエリアであり、周辺エリアは照射エリアＬＬ外のエリアである。従って当然に、メインランプ１７Ａの照明による基準エリア内の照度は、メインランプ１７Ａの照明による周辺エリア内の照度よりも高い。換言すれば、メインランプ１７Ａがオン且つサブランプ１７Ｂがオフのとき、ランプ１７Ａの照明によって基準エリア内の照度が周辺エリア内の照度よりも高められる。
【００７３】
図２１（ａ）の例では、第１画像領域としての画像領域４２０が矩形領域になっているが、第１画像領域の形状は矩形以外でも良いし、互いに分離した複数の画像領域の合成領域が第１画像領域であっても良い。図２１（ａ）の例では、第２画像領域としての画像領域４３０が第１画像領域の外側を取り囲むロの字状の領域になっているが、第２画像領域の形状はこれに限定されず、互いに分離した複数の画像領域（例えば、図２１（ｂ）の画像領域４３１〜４３４）の合成領域が第２画像領域であっても良いし、任意の形状を有する単一の画像領域（例えば、図２１（ｂ）の画像領域４３１〜４３４の何れか１つ）が第２画像領域であっても良い。第１及び第２画像領域は、撮影エリアＳＳ及び照射エリアＬＬ間の関係に基づき固定的に設定された画像領域であって良い。第１又は第２画像領域の位置及び大きさを、焦点距離ｆの変化に応答して変化させても構わない。
【００７４】
図２０の説明に戻る。ステップＳ２４に続くステップＳ２５において、撮影制御部４２は、輝度差ΔＢに応じて、サブランプ１７Ｂのオン時におけるサブランプ１７Ｂの照明強度ＩＮＴSUBを設定する（照明強度の設定方法については後述）。その後のステップＳ２６において、撮影制御部４２は全押し操作の有無を確認して、全押し操作があった場合にステップＳ２７への遷移を発生させる。ステップＳ２７において、照明制御部４１は、サブランプ１７Ｂをオフからオンに切り替え、撮影制御部４２は、メインランプ１７Ａをオン且つサブランプ１７Ｂをオンにしている状態で撮像部１１に撮影を行わせて対象撮影画像を取得する（即ち、当該状態での撮影により撮像部１１に対象撮影画像の画像信号を取得させる）。当該状態におけるサブランプ１７Ｂの照明強度は、ステップＳ２５にて設定された照明強度ＩＮＴSUBである。図１８（ｂ）の画像４１０は対象撮影画像の例であり、ここでは画像４１０が対象撮影画像として取得されると考える。対象撮影画像４１０の取得後、照明制御部４１はサブランプ１７Ｂをオフにする。サブランプ１７Ｂは、ストロボ発光装置でも良く、サブランプ１７Ｂの発光開始後、一定時間が経過すると自動的にサブランプ１７Ｂの発光が停止するものであっても良い。取得された対象撮影画像４１０の画像信号はステップＳ２８にて記録媒体１５に記録され、処理はステップＳ２２に戻る。
【００７５】
電子機器１ａの周辺照度が比較的高いときには、輝度差ΔＢは比較的小さくなるため、サブランプ１７Ｂをあまり光らせなくても全体的に明るい対象撮影画像を取得可能である。一方、電子機器１ａの周辺照度が比較的低く、輝度差ΔＢが比較的大きいときには、サブランプ１７Ｂによって周辺エリアを強く照らさないと、全体的に明るい対象撮影画像を取得できない。これを考慮し、ステップＳ２５において、撮影制御部４２は、輝度差ΔＢが大きいほど、より大きな照明強度ＩＮＴSUBを設定する（即ち、輝度差ΔＢが大きいほど、対象撮影画像の取得時におけるサブランプ１７Ｂの照明強度ＩＮＴSUBを大きくする）。これにより、電子機器１ａの周辺照度に依存せず、全体的に明るい対象撮影画像を取得することが可能となる。
【００７６】
メインランプ１７Ａに加えてサブランプ１７Ｂをオンにすると、基準エリアの照度が明るくなりすぎて、基準エリアに対応する画像領域の輝度が明るくなりすぎること（例えば、所謂白飛びの発生）が懸念される。これを考慮し、撮影制御部４２は、ステップＳ２７において、対象撮影画像を取得する際、対象撮影画像の取得前との比較において、メインランプ１７Ａの照明強度を任意の低下量だけ低下させても良い。これによって上記懸念を払拭することができる。上記低下量は、予め定められた固定量であっても良い。或いは、撮影制御部４２は、当該低下量を、ステップＳ２５における設定照明強度ＩＮＴSUBに応じて可変させても良い。
【００７７】
また例えば、撮影制御部４２は、ステップＳ２５における設定照明強度ＩＮＴSUBに応じて上記低下の実行有無を制御しても良い。即ち例えば、撮影制御部４２は、設定照明強度ＩＮＴSUBを所定の基準強度と比較し、設定照明強度ＩＮＴSUBが基準強度以上である場合にのみ上記低下を実行するようにしても良い。輝度差ΔＢが小さいことに対応して設定照明強度ＩＮＴSUBが小さい場合には、メインランプ１７Ａの照明強度を低下させずとも、白飛び等の発生を回避することができるからである。尚、対象撮影画像の取得時にメインランプ１７Ａの照明強度を低下させた場合、対象撮影画像の取得後にメインランプ１７Ａの照明強度を対象撮影画像の取得前のそれに戻す。
【００７８】
図２０は、対象撮影画像が静止画像であることを想定しているが、対象撮影画像は動画像であっても良い。この場合、対象撮影画像としての動画像の撮影前にはメインランプ１７Ａのみをオンにしておき、動画像の開始指示が操作部１６に入力されたとき、ステップＳ２３〜Ｓ２５の処理を介してステップＳ２７及びＳ２８の処理を実行すれば良い。
【００７９】
また、サブランプ１７Ｂは、上記周辺エリアを優先的に照らしても良い。つまり、サブランプ１７Ｂがオンのとき、サブランプ１７Ｂの照明による周辺エリア内の照度は、サブランプ１７Ｂの照明による基準エリア内の照度よりも高くても良い。換言すれば、サブランプ１７Ｂのオンに伴う周辺エリア内の照度の増大量がサブランプ１７Ｂのオンに伴う基準エリア内の照度の増大量よりも高くなるように、サブランプ１７Ｂの照射光の指向性を定めておいても良い。これにより、対象撮影画像の全体的な明るさの適正化の促進が期待される。これを実現するために例えば、基準エリアよりも周辺エリアを優先的に照らすような指向性を持たせたＬＥＤアレイにてサブランプ１７Ｂを形成しておいても良い。
【００８０】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【符号の説明】
【００８１】
１、１ａ  電子機器
１１  撮像部
１７  ランプ
１７Ａ  メインランプ
１７Ｂ  サブランプ
１８  測光回路
２１  重み付け演算部
２２  重み付け設定部
２３  露出制御部
４１  照明制御部
４２  撮影制御部
ＳＳ  撮影エリア
ＬＬ  照射エリア
ＥＡ［ｍ，ｎ］  評価エリア
【図１】
2014176061.tif 000004
【図２】
2014176061.tif 000005
【図３】
2014176061.tif 000006
【図４】
2014176061.tif 000007
【図５】
2014176061.tif 000008
【図６】
2014176061.tif 000009
【図７】
2014176061.tif 000010
【図８】
2014176061.tif 000011
【図９】
2014176061.tif 000012
【図１０】
2014176061.tif 000013
【図１１】
2014176061.tif 000014
【図１２】
2014176061.tif 000015
【図１３】
2014176061.tif 000016
【図１４】
2014176061.tif 000017
【図１５】
2014176061.tif 000018
【図１６】
2014176061.tif 000019
【図１７】
2014176061.tif 000020
【図１８】
2014176061.tif 000021
【図１９】
2014176061.tif 000022
【図２０】
2014176061.tif 000023
【図２１】
2014176061.tif 000024